(57)【要約】【課題】  店頭等で販売されているオイル４が有する性能を顧客等に実感させることができるオイル用ディスプレイ装置１を提供する。【解決手段】  アクリル樹脂ケース２の底部にオイル４を貯留させて封入し、オイル４の上部に一組の歯車３を配置し、一組の歯車３を各々同時に回動するように噛み合う形で連設し、一組の歯車３のうちの一つの歯車３ａがオイル４に接触し、一つの歯車３ｄの軸５が外部に突出し、アクリル樹脂ケース２の外部に突出した軸に取っ手６を設け、取っ手６を回動することにより、歯車３ｄが回動し、その駆動が他の歯車３に伝達されて、歯車３をすべて回動させ、オイル４が歯車３ａから他の歯車へ噛み合せ部分から伝わってゆく構造を備えるオイル用ディスプレイ装置１である。【選択図】      図１
0003112413.tif 000002
【実用新案登録請求の範囲】
【請求項１】
複数の歯車が、軸により回動できるように透明ケースの内部空間に配置され、
前記ケースの内部空間の底部にオイルが貯留され、
前記複数の歯車のうちの少なくとも一つの歯車の一部が前記オイルに浸っており、
前記複数の歯車の各々が同時に回動するように噛み合う形で連設されており、
前記軸のうちの一つの軸は前記ケースの外部に突出し、該突出した軸に、前記内部空間に設けられた歯車を回動させる為の回動操作部を設けたことを特徴とするオイル用ディスプレイ装置。
【請求項２】
複数の歯車が、軸により回動できるように透明ケースの内部に配置され、
前記ケースの内部に設けた仕切り部で前記ケースの内部空間を複数の領域に分割し、
前記内部空間の各々の領域の底部にオイルが貯留され、
前記複数の領域の各々に一組の歯車を設け、
前記一組の歯車の各々が同時に回動するように噛み合う形で連設されており、
前記一組の歯車の各組の少なくとも一つの歯車の一部が前記オイルに浸っており、
前記軸のうち、少なくとも一つの軸はケース外部に突出しており、該突出した軸に前記内部空間に設けられた歯車を回動させる為の回動操作部を設け、
前記各組の歯車を連動させる連動機構を設けたことを特徴とするオイル用ディスプレイ装置。
【請求項３】
前記連動機構が、前記一組の歯車の各組の少なくとも一つの歯車に対応する前記軸がケースの外部に突出しており、該突出した軸を連結するベルトを備えたことを特徴とする請求項２記載のオイル用ディスプレイ装置。
【請求項４】
前記連動機構が、前記一組の歯車の各組の少なくとも一つの歯車に対応する前記軸がケースの外部に突出しており、該突出した軸には歯車が設けられており、更に、該歯車の各々と噛み合う中間歯車を備えたことを特徴とする請求項２記載のオイル用ディスプレイ装置。
【請求項５】
前記ケースが、透明合成樹脂製ケースであることを特徴とする請求項１ないし４いずれかに記載のオイル用ディスプレイ装置。
【考案の詳細な説明】
【技術分野】
【０００１】
本考案は、オイルが有する性能を顧客等に視認させることでオイルの販売を促進するオイル用ディスプレイ装置に関する。
【背景技術】
【０００２】
機械、例えば、車体内部機構、エンジン等の動きを滑らかにする為の各種のオイルが製造されている。オイルメーカーや販売会社は、そのオイルが充填された缶に、オイル（例えば潤滑油等）の性能表示をするため、ラベル等を貼着したり、印刷を行なっている。
【考案の開示】
【考案が解決しようとする課題】
【０００３】
しかしながら、オイルメーカーや販売会社にとっては、それらの表示だけで顧客に対してオイルの性能の違いを把握させるには不十分である。また、顧客にとっては、それぞれの販売会社が販売しているオイルの性能の違いが直感的に把握し難いという問題点がある。そのため、顧客は実際にそのオイルを試用することで機械等がどのように動くのかを実感しなければ、オイルの性能を把握することが困難である。したがって、簡易な構造によって、オイルメーカーや販売会社はオイルの性能を直感的に顧客にアピールできることを求め、顧客も、オイルの性能を実感してみたいという期待感がある。
そこで本考案は、前記した従来の問題点に鑑み、オイルメーカーや販売会社が顧客に対して製造販売されているオイルが有する性能を店頭等において実感させることができる簡便な構造のオイル用ディスプレイ装置を提供することを目的とする。
【課題を解決するための手段】
【０００４】
前記課題を解決するために為された請求項１に記載の考案は、図１に示すように、複数の歯車３が、それぞれの軸５に固定され一体的に回動できるように透明ケース２の内部空間８に配置され、前記ケース２の内部空間８の底部にオイル４が貯留され、前記複数の歯車３の各々が同時に回動するように噛み合う形で連設されており、前記複数の歯車３のうちの少なくとも一つの歯車の一部（下端部）が、前記オイル４に浸っており、前記軸５のうちの一つの軸は前記ケース２の外部に突出し、該突出した軸５に回動操作部６を設けたことを特徴とするものである。
【０００５】
前記軸５のうちの一つの軸はケース２の外部に突出しており、該突出した軸５に前記複数の歯車３を回動させる為に設けた回動操作部６の態様としては、図１に挙げるような回動式の取っ手６を採用することが考えられる。この取っ手６を回動することにより、取っ手６に設けられた軸５を回動させ、更にその軸５の回動に連動して、歯車３ｄが先ず回動し始め、それに伴い、ケース２内部にある全ての歯車３ａ〜３ｉも回動する。一部がオイル４に浸っている歯車３ａが回動すると、オイル４が歯車３ｂ、３ｃ、…３ｉへと下から上へと伝わっていき、該オイル４により、どのように歯車３ａ〜３ｉが動くのかを視認することが出来る。オイルとしては機械用の潤滑油、エンジンオイル等が挙げられる。
【０００６】
請求項２に記載の考案は、図６に示すように、複数の歯車１０３が、軸１０５により回動できるように透明ケース１０２の内部に配置され、前記ケース１０２の内部に設けた仕切り部１０７で前記ケース１０２の内部空間１０８を複数の領域１０８ａ，１０８ｂに分割し、前記ケース１０２の内部空間１０８の底部にオイル１０４ａ，１０４ｂが貯留され、前記複数の歯車１０３の各々が同時に回動するように噛み合う形で連設されており、前記仕切り部１０７により分割された複数の領域１０８ａ，１０８ｂの各々に一組の歯車１０３ａ、１０３ｂを設け、該一組の歯車として構成される複数の歯車の各々が同時に回動するように噛み合う形で連設され、前記一組の歯車の各組の少なくとも一つの歯車の一部が、前記オイルに浸っており、前記軸１０５のうち、少なくとも一つの軸はケース１０２外部に突出しており、該突出した軸に、前記ケース１０２内部に設けられた歯車を回動させる為の回動操作部１０６を設けたことを特徴とする。
【０００７】
ケース１０２内部の仕切り部１０７は、複数設けても良いし、図６に示すように一つだけ設けても良い。仕切り部１０７により内部空間１０８が仕切られる。一組の歯車１０３ａ，１０３ｂの各々は、複数の領域のうちの一つの領域に設けられた複数の歯車を指す。前記ケースの内部に設けられた歯車を回動させる為の回動操作部１０６は、図６に示すように、一つだけ設けても良いし、複数設けても良い。回動操作部１０６をケース１０２に一つだけ設けた場合は、該回動操作部１０６を操作することにより、ケース１０２の内部にある全ての歯車１０３ｃ〜１０３ｌを回動させることが出来るようにすると好適である。連動機構が前記一組の歯車１０３ａ，１０３ｂとを連動させる。この連動機構としては、ベルト１０９或いは歯車１１０ａ，１１０ｂ，歯車１１１ａ〜１１１ｄを設けることが好ましい。
【０００８】
請求項３に記載の考案は、図７に示すように、連動機構が、前記一組の歯車の各組の少なくとも一つの歯車に対応する前記軸１０５がケース１０２の外部に突出しており、該突出した軸１０５を連結するベルト１０９を設けたことを特徴とするものである。図７はケース１０２の裏面図である。図７のうち、歯車１０３ｃ、及び１０３ｈに対応する軸１０５がケース１０２の外部に突出している。
【０００９】
回動操作部１０６をケース１０２に一つだけ設け、該回動操作部１０６を操作することにより、ケース１０２内部にある全ての歯車を回動させる構成を採用したい場合には、請求項３のように、一組の歯車の各組の少なくとも一つの歯車に対応する軸１０５をケース１０２外部に突出させ、該突出させた各組の軸１０５を連結するベルト１０９を設けると好適である。例えば、図７を例に取ると、ケース１０２に一つだけ設けられた回動操作部１０６を操作すると、一つの領域である左側領域１０８ａに設けられた一組の歯車１０３ａが回動する。それに伴い、該一組の歯車１０３ａのうち、一つの歯車１０３ｃに対応する軸１０５に設けられたベルト１０９も回動する。ベルト１０９の回動に伴い、ベルト１０９に連結された歯車１０３ｈに対応する軸１０５も回動し、この歯車１０３ｈに対応する軸１０５の回動に伴い、他の領域である右側領域１０８ｂに設けた一組の歯車１０３ｂも回動するように構成する。
【００１０】
請求項４に記載の考案は、図９に示すように、連動機構が、前記一組の歯車の各組ごとにつき、少なくとも一つの歯車に対応する前記軸１０５がケース１０２の外部に突出しており、該突出した軸１０５には歯車１１０ａ、１１０ｂを設けており、更に、歯車１１０ａ、１１０ｂの各々を連結する中間歯車１１１ａ〜１１１ｄが設けられたことを特徴とするものである。尚、図９は第２実施形態の変形例についてのオイル用ディスプレイ装置１０１の断面図である。
【００１１】
図９の構成において、回動操作部１０６を操作することにより、回動操作部１０６が設けられた軸１０５が回動され、それに伴い、領域１０８ａに設けられた一組の歯車１０３ａが回動される。更に、前記した軸１０５の回動に伴い、歯車１１０ａが回動する。歯車１１０ａの回動に伴い、中間歯車１１１ａが回動する。中間歯車１１１ａの回動に伴い、中間歯車１１１ｂ、１１１ｃ、１１１ｄが回動する。更に、中間歯車１１１ｄの回動に伴い、歯車１１０ｂに対応した軸１０５が回動する。歯車１１０ｂに対応した軸１０５が回動すると、それに伴い、領域１０８ｂに設けられた一組の歯車１０３ｂが回動する。これにより、一つの回動操作部１０６を操作するだけで、最終的にケース１０２内部に設けられた全ての歯車が回動するようになっている。
【００１２】
請求項５に記載の考案は、前記ケースが、透明合成樹脂製ケースであることを特徴とするものである。
【考案の効果】
【００１３】
請求項１の考案によれば、店頭等で販売されているオイル４が有する性能を顧客等が視覚を通して実感することができる。即ち、請求項１に記載のオイル用ディスプレイ装置１の回動操作部６を操作することにより、複数の歯車３が回動し、一部がオイル４に浸っている歯車３ａから、歯車３ｂ〜３ｉへとオイル４が伝わっていき、該オイル４によりどのように歯車３ａ〜３ｉが動くのかを視認することが出来るからである。
【００１４】
請求項２の考案によれば、ケース１０２内部に仕切り部１０７を設け、該仕切り部１０７によりケース１０２内部にできる複数の領域の各々にオイル、一組の歯車を設け、複数の領域の各々に相違する種類のオイルを入れれば、相違する種類のオイルに対して、それぞれ、どのように歯車を動くのかを視認することができ、各々のオイルの性能の違いを対比することが出来る。また、回動操作部１０６を操作することによって、連動機構が働き、複数の領域にある全ての歯車を連動させることが出来、操作性が大変良好である。
【００１５】
請求項３の考案によれば、一組の歯車の各組の少なくとも一つの歯車に対応する軸１０５がケース１０２の外部に突出しており、該突出した軸を連結するベルト１０９を設けることで、回動操作部１０６をケース１０２に設けた構成において、回動操作部１０６を操作することによって、複数の領域にある全ての歯車を連動させることが出来る。
【００１６】
請求項４の考案によれば、請求項３と同様の効果を発揮する。即ち、一組の歯車の各組の少なくとも一つの歯車に対応する軸がケースの外部に突出しており、該突出した軸には歯車が設けられており、更に、歯車の各々を連結する中間歯車が設けられているので、回動操作部１０６をケース１０２に設け、回動操作部１０６を操作することによって、複数の領域にある全ての歯車を連動させることが出来る。
【００１７】
請求項５の考案によれば、ケースとして透明合成樹脂製ケース、例えばアクリル樹脂ケースを使用することで、次のような効果が得られる。即ち、アクリル樹脂の光線透過率はガラスを凌ぐものなので、ケース内部の様子がより視認しやすくなる。更に、アクリル樹脂は、耐衝撃性に優れており、万一破損しても、ガラスのように飛び散ることがないので、安全性に優れる。
【考案を実施するための最良の形態】
【００１８】
以下に、本考案の好適な各実施形態について図面を参照して説明する。尚、本考案の実施の形態は、下記の実施形態に何ら限定されるものではなく、本考案の技術的範囲に属する限り種々の形態を採り得ることは無論である。本実施形態は、オイルが有する性能を顧客等に視認させる為のオイル用ディスプレイ装置１に関するものである。
【００１９】
（第１実施形態）
図１〜３を用いて、第１実施形態のオイル用ディスプレイ装置１について説明する。図１は、オイル用ディスプレイ装置１の斜視図、図２は正面図、図３は図１のＡ−Ａ断面図を表している。本実施形態のオイル用ディスプレイ装置１は、アクリル樹脂製の透明ケース２内部のオイル４の販売促進を援助する販売促進用装置であり、例えば、オイル４を販売している店舗に置くことが考えられる。オイル用ディスプレイ装置１は、アクリル樹脂ケース２を備え、アクリル樹脂ケース２の内部空間８には複数の歯車３、及びオイル４が設けられている。複数の歯車３のうち、各々の歯車３ａ〜３ｉは、それぞれの軸５に固定され一体的に回動できるようにケース２内部に配置されている。歯車３ｄに対応する軸５は、ケース２前面外部に突出しており、該軸５に複数の歯車３を回動させる為の取っ手６が設けられている。前記した複数の歯車３のうち、最下部の歯車３ａの一部（下端部）はオイル４に浸っている。該複数の歯車３は噛み合う形で連設されており、複数の歯車３のうちのいずれかの歯車３ａ〜３ｉが回動すれば、それに伴い、複数の歯車３の全てが連動する形で回動するようになっている。歯車３ａ〜３ｉは整列状態で配置されている。尚、オイル４はアクリル樹脂ケース２の底部に貯留されており、アクリル樹脂ケース２の底部には、アクリル樹脂ケース２を支えるための台座２ａが設けられている。
【００２０】
前記した取っ手６は、人の手で回動することができる構造であり、この取っ手６を回動すると、歯車３ｄが先ず回動し始め、それに伴い、複数の歯車３の全てが回動する。複数の歯車３のうち、最下部の歯車３ａが回動を始めると、歯車３ａがオイル４をすくい上げ、該オイル４は歯車３ａから歯車３ｂ、歯車３ｂから歯車３ｃへと、下から上へと伝わっていくことになる。即ち、オイル用ディスプレイ装置１が置かれた店舗に来店した顧客などが、取っ手６を回動することにより、オイル４が噛み合せ部分を介して全ての歯車３へと伝わってゆく。これにより、顧客などがアクリル樹脂ケース２外部からオイル４の接触による歯車３の動き及びオイル４の動きを視認することが出来るのである。
【００２１】
このオイル用ディスプレイ装置１の形状及び大きさは、限定されるものではなく、適宜の形状及び大きさでも適用可能である。また、本実施形態のオイル用ディスプレイ装置１として、図１よりも少数の構造、例えば、図４、図５に挙げる３個の歯車を用いた構造を採用しても良いし、取っ手６の位置を変更したものでもよい。
【００２２】
以上説明した本実施形態によれば、例えば、オイル用ディスプレイ装置１が置かれた店舗に来店した顧客が、前記した取っ手６を回動することで、オイル４の動き及び該オイル４による歯車３の動きを視認することができ、更にそのオイル４の動きを顧客にアピールし、顧客のオイル４への購買意欲を掻きたてることが出来る。
【００２３】
（第２実施形態）
次に図６〜図８を参照して第２実施形態のオイル用ディスプレイ装置１０１について説明する。第１実施形態の構成要素に対応する本実施形態の構成要素の説明は、図中の符号を１００番台として説明を援用する。図６は本実施形態におけるオイル用ディスプレイ装置１０１の正面図、図７は、本実施形態におけるオイル用ディスプレイ装置１０１の裏面図、図８は図６のＡ−Ａ断面図を表している。
【００２４】
上記第１実施形態のオイル用ディスプレイ装置１では、アクリル樹脂製の透明ケース２の内部に、一組の複数の歯車３と、オイル４が設けられている。それに対して、第２実施形態のオイル用ディスプレイ装置１０１では、図６に示すように、アクリル樹脂ケース１０２内部に仕切り部１０７を設けてある。該仕切り部１０７により、アクリル樹脂ケース１０２の内部が２つの領域１０８ａ、１０８ｂとして分割されている。該領域１０８ａ、１０８ｂに、オイル１０４ａ、オイル１０４ｂ、一組の歯車１０３ａ、一組の歯車１０３ｂを各々設ける構成となっている。一組の歯車１０３ａ、一組の歯車１０３ｂはそれぞれ整列状態で配置されている。第２実施形態のオイル用ディスプレイ装置１０１においては、取っ手１０６が、歯車１０３ｃに対応する軸１０５に設けられている。仕切り部１０７の素材としては、アクリル樹脂素材を使用すると好適である。尚、本実施形態において、販売促進する為のオイルは、左部の領域１０８ａ内のオイル１０４ａであり、右部の領域１０８ｂには対比のため他社メーカーのオイル１０４ｂを入れて、オイル性能を対比できるようにしてある。
【００２５】
図７、図８に示すように、オイル用ディスプレイ装置１０１の裏面には、領域１０８ａの歯車１０３ｃに対応した軸１０５、及び領域１０８ｂの歯車１０３ｈに対応する軸１０５を連結するベルト１０９を備える連動機構が設けられている。これにより、歯車１０３ｃに対応した軸１０５に取り付けられた取っ手１０６を回動すれば、先ず、歯車１０３ｃに対応する軸１０５が回動し、それに伴い、歯車１０３ｃから歯車１０３ｄ、歯車１０３ｄから歯車１０３ｅへと下から上へと回動していき、領域１０８ａの一組の歯車１０３ａは全て回動する。更に、歯車１０３ｃに対応する軸１０５の回動に伴い、ベルト１０９が回動する。該ベルト１０９の回動に伴い、歯車１０３ｃに対応する軸１０５に対してベルト１０９を介して連結された歯車１０３ｈに対応した軸１０５も回動する。歯車１０３ｈに対応した軸１０５の回動に伴い、歯車１０３ｈから歯車１０３ｉ、歯車１０３ｉから歯車１０３ｊへと下から上へと回動していき、領域１０８ｂの一組の歯車１０３ｂも全て回動する。即ち、取っ手１０６を回動することにより、アクリル樹脂ケース１０２内部に設けられた全ての歯車１０３ｃ〜１０３ｌが回動するように構成されているのである。これにより、オイル１０４ａが噛み合せ部分を介して一組の歯車１０３ａ全体へと伝わっていき、オイル１０４ｂが一組の歯車１０３ｂ全体へと伝わっていく。そして、この一組の歯車１０３ａ、１０３ｂへと伝わるオイルの動き、及び歯車の動きを視認することにより、それぞれのオイル１０４ａ、１０４ｂの性能を対比することで性能の違いを実感することが出来る。
【００２６】
以上説明した本実施形態によれば、アクリル樹脂ケース１０２内部に仕切り部１０７を設け、該仕切り部１０７によりできるケース１０２内部の領域１０８ａ、１０８ｂにオイル１０４ａ、１０４ｂ、一組の歯車１０３ａ、１０３ｂを各々設け、領域１０８ａ、１０８ｂの各々に違う種類のオイル１０４ａ、１０４ｂを入れているので、該オイル１０４ａ、１０４ｂが、それぞれどのように歯車１０３ａ、１０３ｂを動かすのかを視認することができ、オイル１０４ａ、１０４ｂの性能及びオイル１０４ａ、１０４ｂによる歯車の動きの違いを対比することが出来る。これによりオイルの種類の違いに起因する性能の差異を対比することで、顧客は最適な種類のオイルを購入することができる。
【００２７】
更に、領域１０８ａ、１０８ｂの各々に設けられた歯車１０３ａ、１０３ｂを連結するベルト１０９をアクリル樹脂ケース１０２裏面に設けることで、一つの取っ手１０６のみを操作することによって、アクリル樹脂ケース１０２内部にある領域１０８ａ、１０８ｂの全ての歯車１０３ｃ〜１０３ｌを回動させることが出来るので、操作性が良好である。
【００２８】
（第２実施形態の変形例）
次に、図９を参照して第２実施形態の変形例のオイル用ディスプレイ装置１０１について説明する。尚、変形例では、第２実施形態の図８の断面図に代えて、図９の断面図を用いる。
【００２９】
第２実施形態では、オイル用ディスプレイ装置１０１の裏面には、連動機構として、歯車１０３ｃに対応した軸１０５、及び領域１０８ｂの歯車１０３ｈに対応する軸１０５を連結するベルト１０９が設けられているが、この変形例として、連動機構が、歯車１０３ｃに対応した軸１０５、及び領域１０８ｂの歯車１０３ｈに対応する軸１０５にそれぞれ歯車１１０ａ、１１０ｂを備え、更に、該歯車１１０ａ、１１０ｂの間に、中間歯車１１１ａ〜１１１ｄが各々噛み合うように連設され、中間歯車１１１ａ〜１１１ｄは、ケース１０２の外面に軸により回動可能に取り付けられているものである。前記歯車１１０ａ、１１０ｂ、１１１ａ〜１１１ｄは整列されて配置されている。
【００３０】
本実施形態の変形例において、歯車１０３ｃに対応する軸１０５に設けられた取っ手１０６を回動すると、先ず、歯車１０３ｃに対応する軸１０５が回動し始め、歯車１０３ｃから歯車１０３ｄ、歯車１０３ｄから歯車１０３ｅへと下から上へと回動していき、領域１０８ａの一組の歯車１０３ａは全て回動する。更に、歯車１０３ｃに対応する軸１０５の回動に伴い、歯車１１０ａも回動する。この歯車１１０ａの回動に伴い、中間歯車１１１ａ、１１１ｂ、１１１ｃ、１１１ｄがこの順番で回動してゆき、最終的に歯車１１０ｂも歯車１１０ａに連動して回動される。歯車１１０ｂが回動すると、歯車１０３ｈに対応する軸１０５が回動し、それに伴い、歯車１０３ｈから歯車１０３ｉ、歯車１０３ｉから歯車１０３ｊへと下から上へと回動していき、領域１０８ｂの一組の歯車１０３ｂも全て回動する。即ち、取っ手１０６を回動することにより、アクリル樹脂ケース１０２内部に設けられた全ての歯車１０３ｃ〜１０３ｌが回動するように構成されているのである。
【００３１】
これにより、オイル１０４ａが一組の歯車１０３ａ全体へと伝わっていき、オイル１０４ｂが一組の歯車１０３ｂ全体へと伝わっていく。このようにして、この一組の歯車１０３ａ、１０３ｂへと伝わるオイルの動き、及びオイルの伝導による歯車の動きを視認することにより、それぞれのオイル１０４ａ、１０４ｂとしての性能を実感することが出来る。更に、領域１０８ａ、１０８ｂの各々に設けられた一組の歯車１０３ａ、１０３ｂを連結する歯車１１０ａ，１１０ｂ、及び中間歯車１１１ａ〜１１１ｄをアクリル樹脂ケース１０２裏面に設けることで、一つの取っ手１０６のみを操作することによって、アクリル樹脂ケース１０２内部にある領域１０８ａ、１０８ｂの全ての歯車１０３ｃ〜１０３ｌを回動させることが出来る。
【００３２】
なお、上記の歯車は合成樹脂、金属、その他の材質でよい。
【図面の簡単な説明】
【００３３】
【図１】本考案の第１実施形態のオイル用ディスプレイ装置１を示す外観斜視図である。
【図２】第１実施形態のオイル用ディスプレイ装置１を示す正面図である。
【図３】第１実施形態のオイル用ディスプレイ装置１を示すＡ−Ａ断面図である。
【図４】第１実施形態に係る変形例のオイル用ディスプレイ装置１を示す正面図である。
【図５】第１実施形態に係る他の変形例のオイル用ディスプレイ装置１を示す正面図である。
【図６】第２実施形態のオイル用ディスプレイ装置１０１を示す正面図である。
【図７】第２実施形態のオイル用ディスプレイ装置１０１を示す裏面図である。
【図８】第２実施形態のオイル用ディスプレイ装置１０１を示すＢ−Ｂ断面図である。
【図９】第２実施形態の変形例のオイル用ディスプレイ装置１０１を示す横断面図である。
【符号の説明】
【００３４】
１，１０１…オイル用ディスプレイ装置    ２，１０２…アクリル樹脂ケース
３，１０３ａ，１０３ｂ…一組の歯車      ４，１０４ａ、１０４ｂ…オイル
５，１０５…軸    ６，１０６…取っ手    １０７…仕切り部
８，１０８…内部空間    １０８ａ…左側領域    １０８ｂ…右側領域
１０９…ベルト  １１０ａ，１１０ｂ…歯車
１１１ａ，１１１ｂ，１１１ｃ，１１１ｄ…中間歯車
【図１】
0003112413.tif 000003
【図２】
0003112413.tif 000004
【図３】
0003112413.tif 000005
【図４】
0003112413.tif 000006
【図５】
0003112413.tif 000007
【図６】
0003112413.tif 000008
【図７】
0003112413.tif 000009
【図８】
0003112413.tif 000010
【図９】
0003112413.tif 000011
【手続補正書】
【提出日】平成17年5月11日(2005.5.11)
【手続補正１】
【補正対象書類名】明細書
【補正対象項目名】００２３
【補正方法】変更
【補正の内容】
【００２３】
（第２実施形態）
次に図６〜図８を参照して第２実施形態のオイル用ディスプレイ装置１０１について説明する。第１実施形態の構成要素に対応する本実施形態の構成要素の説明は、図中の符号を１００番台として説明を援用する。図６は本実施形態におけるオイル用ディスプレイ装置１０１の正面図、図７は、本実施形態におけるオイル用ディスプレイ装置１０１の裏面図、図８は図６のＢ−Ｂ断面図を表している。